(57)【要約】【課題】蛍光放電管による照明装置を簡易な現場作業によりＬＥＤユニットによる照明装置に取り替えられ、エスカレータの形状に対して自在に対応でき、ＬＥＤユニットを的確に敷設できるエスカレータの照明装置を提供する。【解決手段】エスカレータの照明装置１は、直線状の直線部取付け板４に設置されてエスカレータの直線部に敷設される長尺ＬＥＤユニット２と、エスカレータの曲線部の曲線に合わせて設置された曲線部取付け板５に敷設された複数個の短尺ＬＥＤユニット３ａ，３ｂ，３ｃと、を備え、短尺ＬＥＤユニット３ａ，３ｂ，３ｃ相互の間には、両端部が照明ボックス下方の脚部に係止され、中間部が曲線部取付け板５を圧接し、復元力により照明ボックス１４の上部裏面に押し付ける、上に凸の板バネ６が設けられる。【選択図】図２
2011116498.tif 000002
【特許請求の範囲】
【請求項１】
既設のエスカレータの運行方向に沿った照明ボックス内部に敷設される蛍光放電管による照明をＬＥＤユニットによる照明に取り替えたエスカレータの照明装置において、
直線状の直線部取付け板に設置されてエスカレータの直線部に敷設される長尺ＬＥＤユニットと、
エスカレータの曲線部の曲線に合わせて設置された曲線部取付け板に敷設された複数個の短尺ＬＥＤユニットと、を備え、
短尺ＬＥＤユニット相互の間には、復元力により曲線部取付け板を照明ボックスに保持する弾性体が設けられることを特徴とするエスカレータの照明装置。
【請求項２】
請求項１に記載のエスカレータの照明装置であって、弾性体は、両端部が照明ボックス下方の脚部に係止され、中間部が曲線部取付け板を圧接して照明ボックスの上部裏面に押し付ける、上に凸の帯状の板バネであることを特徴とするエスカレータの照明装置。
【請求項３】
請求項２に記載のエスカレータの照明装置であって、板バネは、その両端部にＴ字状の突出部を有して脚部に係止されることを特徴とするエスカレータの照明装置。
【請求項４】
請求項１乃至３のいずれか１に記載のエスカレータの照明装置であって、曲線部取付け板の両端は、直線部取付け板の固定用締結具により固定されることを特徴とするエスカレータの照明装置。
【発明の詳細な説明】
【技術分野】
【０００１】
本発明は、エスカレータの照明装置に係り、特に、既設のエスカレータの運行方向に沿った照明ボックス内部に敷設される蛍光放電管による照明をＬＥＤユニットによる照明に取り替えたエスカレータの照明装置に関する。
【背景技術】
【０００２】
図５に、既設エスカレータの手摺り下部の照明装置を示す。エスカレータ１０の手摺１１の下部には照明カバー１５に覆われた照明装置が設けられ、内部に蛍光放電管（図示せず）が敷設される。この照明装置は、エスカレータ１０の運行方向に沿って敷設されるため直線部２０と曲線部２１とで構成される。このため、照明には曲げ加工が可能な直径２０ｍｍ程度の蛍光放電管が用いられるのが一般的である。なお、既設エスカレータ１０のインナーデッキ部２２に照明装置を設ける場合についても同様である。
【０００３】
また、図６に、既設エスカレータの手摺り下部の照明装置の断面を示す。手摺１１は手摺ガイド１２上に設けられる。この手摺ガイド１２の下方にスポット溶接にて照明ボックス１４が固定される。そして、アクリルからなる照明カバー１５が照明ボックス１４に嵌め込まれる。照明カバー１５は、その両脇に接着された矩形の板である外れ止め２６により照明ボックス１４に所定の間隔で連結される。ガラスパネル１３は、延長された照明ボックス１４により保持され、蛍光放電管３０は所定の間隔でランプホルダ２７により保持される。このランプホルダ２７は、ボルト及びナットからなるランプホルダ固定用締結具２３により手摺ガイド１２及び照明ボックス１４に固定される。
【０００４】
一方、特許文献１には、発光ダイオードを用いた発光表示器が開示されている。ここでは、撓性を有する断面筒状の基材と、該基材内筒部に貫通して配線されるリード線と、基材外周面から内筒部に至るよう穿設された貫通孔に貫通状に組込みされる発光素子とを備えて構成され、基材には、内筒部にリード線を配線すると共に発光素子を内筒部から外側に向けて貫通するよう組込むための割り面が形成されている。
【先行技術文献】
【特許文献】
【０００５】
【特許文献１】特許第３８９７２６０号公報
【発明の概要】
【発明が解決しようとする課題】
【０００６】
既設エスカレータの手摺り下部などの照明として蛍光放電管を用いる場合には、例えば、エスカレータの乗降部分の寸法、階高、走行角度などにより様々な長さと形状の蛍光放電管が必要となり、生産性が悪く入手するのに時間がかかるという問題があった。また、蛍光放電管は寿命が短く、既設のエスカレータの保守用の予備品を十分に確保できないという問題があった。さらに、蛍光放電管は高電圧であるため絶縁性能の維持にも十分な配慮が必要であるという問題があった。
【０００７】
既設エスカレータの手摺り下部などの照明として既存の蛍光放電管をＬＥＤユニットに取り替えることで、上述した問題が解決されるが、ＬＥＤユニットを既設の照明の手摺ガイドに接続するために新たに穴あけ加工などをする必要があり、作業員の足場を確保するのが困難な場合があり、エスカレータを長時間停止しなければならないという問題があった。
【０００８】
本願の目的は、かかる課題を解決し、蛍光放電管による照明装置を簡易な現場作業によりＬＥＤユニットによる照明装置に取り替えられ、エスカレータの形状に対して自在に対応でき、ＬＥＤユニットを的確に敷設できるエスカレータの照明装置を提供することである。
【課題を解決するための手段】
【０００９】
上記目的を達成するため、本発明に係るエスカレータの照明装置は、既設のエスカレータの運行方向に沿った照明ボックス内部に敷設される蛍光放電管による照明をＬＥＤユニットによる照明に取り替えたエスカレータの照明装置において、直線状の直線部取付け板に設置されてエスカレータの直線部に敷設される長尺ＬＥＤユニットと、エスカレータの曲線部の曲線に合わせて設置された曲線部取付け板に敷設された複数個の短尺ＬＥＤユニットと、を備え、短尺ＬＥＤユニット相互の間には、復元力により曲線部取付け板を照明ボックスに保持する弾性体が設けられることを特徴とする。
【００１０】
上記構成により、エスカレータの照明装置は、直線部には直線状の直線部取付け板に長尺ＬＥＤユニットを敷設し、曲線部にはエスカレータの曲線部の曲線に合わせて設置された曲線部取付け板に複数個の短尺ＬＥＤユニットを敷設することで、エスカレータの乗降部分の寸法、階高、走行角度などに対して自在に対応可能なスカレータの照明装置とすることができる。
【００１１】
また、短尺ＬＥＤユニット相互の間において、両端部が照明ボックス下方の脚部に係止されて上に凸の弾性体を設けることにより、短尺ＬＥＤユニットを簡易な現場作業により照明ボックスの上部裏面に敷設することができる。
【００１２】
また、エスカレータの照明装置は、弾性体が、両端部が照明ボックス下方の脚部に係止され、中間部が曲線部取付け板を圧接して照明ボックスの上部裏面に押し付ける、上に凸の帯状の板バネであることが好ましい。これにより、両端部を照明ボックス下方の脚部に係止することで反力をとることができる。そして、板バネの復元力により曲線部取付け板を照明ボックスの上部裏面に押し付け、短尺ＬＥＤユニットの脱落や横方向のすれを押え込みＬＥＤユニットを的確に敷設することができる。
【００１３】
さらに、エスカレータの照明装置は，曲線部取付け板の両端は、直線部取付け板の固定用締結具により固定されることが好ましい。これにより、曲線部の両端の直線部を活用して短尺ＬＥＤユニットを照明ボックスに固定することができる。
【発明の効果】
【００１４】
以上のように、本発明に係るエスカレータの照明装置によれば、蛍光放電管による照明装置を簡易な現場作業によりＬＥＤユニットによる照明装置に取り替えられ、エスカレータの形状に対して自在に対応でき、ＬＥＤユニットを的確に敷設できるエスカレータの照明装置を提供することができる。
【図面の簡単な説明】
【００１５】
【図１】本発明に係るエスカレータの照明装置の１つの実施形態の概略構成を示す側面図である。
【図２】長尺ＬＥＤユニット及び短尺ＬＥＤユニットを示す平面図である。
【図３】手摺り下部の照明装置の構成を示す断面図である。
【図４】板バネの形状を示す平面図及び側面図である。
【図５】既設エスカレータの手摺り下部の照明装置を示す斜視図である。
【図６】既設エスカレータの手摺り下部の照明装置を示す断面図である。
【発明を実施するための形態】
【００１６】
以下に、図面を用いて本発明に係るエスカレータの照明装置１の実施形態につき、詳細に説明する。
【００１７】
図１に、一般的なエスカレータの側面を示す。本実施形態のエスカレータ１０には、手摺１１の下部にアクリル板からなる照明カバーに覆われた照明ボックス１４が設けられ、その照明ボックス１４の内部にはＬＥＤユニットが敷設される。そして、ＬＥＤ用の直流電源をエスカレータ１０の機械室（図示せず）内に設置してＬＥＤを点灯させる。このＬＥＤによる照明は、手摺１１の下方に設けられたガラスパネル１３を通じてエスカレータ１０の乗客の足元を照らす。このエスカレータ１０の手摺１１は、直線部２０と曲線部２１とから構成される。
【００１８】
図２に、エスカレータの照明装置１を構成する長尺ＬＥＤユニット及び短尺ＬＥＤユニットを示す。図２（ａ）に、長尺ＬＥＤユニット２を示す。また、図２（ｂ）に、短尺ＬＥＤユニット３ａ，３ｂ，３ｃを示す。図２（ｂ）には、説明のために３個の短尺ＬＥＤユニット３ａ，３ｂ，３ｃを記載するが、その個数はこれに限定されずエスカレータ１０についての照明に関する設計により決定される。長尺ＬＥＤユニット２は、所定の位置に設けられた直線部取付け板４を介してエスカレータ１０の直線部２０に敷設される。一方、短尺ＬＥＤユニット３ａ，３ｂ，３ｃは、エスカレータ１０の曲線部２１の曲線に合わせて設置された曲線部取付け板５に敷設される。
【００１９】
長尺ＬＥＤユニット２は、エスカレータ１０の直線部２０の長さに合わせて割り付けられる。直線部取付け板４は、矩形の板であり裏面にボルト(図示せず)が設けられる。このボルトが、ランプホルダ固定用締結具２３が取り外された孔に挿入されて長尺ＬＥＤユニット２が手摺ガイド１２に固定される。直線部取付け板４は、一組の接続金物２５をほぼ同じ形状であり、直線部取付け板４と一組の接続金物２５とは、接続金物２５に設けられたボルト孔にボルトが差し込まれて締結される。この接続金物２５は、ＬＥＤ１８が取り付けられたＬＥＤケース１６ａと接続される。接続金物２５は、直線部取付け板４の裏面のボルトの位置が、ランプホルダ固定用締結具２３が取り外された後の孔位置に合うようにその位置が調整される。長尺ＬＥＤユニット２の両端部には、プラグ側コネクタ１７ａ及びソケット側コネクタ１７ｂが配設される。そして、ＬＥＤケース１６ａ内に複数のＬＥＤ１８が設けられる。
【００２０】
短尺ＬＥＤユニット３ａ，３ｂ，３ｃは、エスカレータ１０の曲線部２１の曲線に対応するため曲線部取付け板５上に複数のＬＥＤケース１６ｂを含む短尺ＬＥＤユニット３ａ，３ｂ，３ｃが分離されて配置される。そして、曲線部取付け板５上に各短尺ＬＥＤユニット３ａ，３ｂ，３ｃが接続金物２５によりボルト止めされる。曲線部２１の短尺ＬＥＤユニット３全体の両端部には、プラグ側コネクタ１７ａ及びソケット側コネクタ１７ｂが配設される。この曲線部取付け板５は、薄板であるためエスカレータ１０の曲線に沿って自在に曲げられる。そして、各ＬＥＤケース１６ｂは相互に角度を持ちながら電線１９により電気的に連結される。各ＬＥＤケース１６ｂ内には、複数のＬＥＤ１８が設けられる。
【００２１】
長尺２及び短尺ＬＥＤユニット３ａ，３ｂ，３ｃは、手摺ガイド１２に固定しなければならない。エスカレータ１０の直線部２０では、図６に示すように、固定用締結具であるランプホルダ固定用締結具２３をそのまま転用することができ、蛍光放電管による照明装置を取り外し、所定の位置で長尺ＬＥＤユニット２を手摺ガイド１２にビス止めすることができる。一方、短尺ＬＥＤユニット３ａ，３ｂ，３ｃは、ランプホルダ固定用締結具２３用の孔が適切な位置にないために手摺ガイド１２にビス止めすることが難しい。また、曲線部取付け板５は、エスカレータ１０の曲線部２１の曲線に対応するため面外の剛性の低い薄板が用いられるため、手摺ガイド１２への固定手段が問題となる。
【００２２】
図３に、手摺り下部の照明装置の構成を示す。また、図４に板バネ６の形状を示す。ＬＥＤ１８が敷設されたＬＥＤケース１６ｂは曲線部取付け板５に設置されるが、この曲線部取付け板５の下方に板バネ６を取り付ける。この板バネ６は、図２（ｂ）に示すように、各短尺ＬＥＤユニット３ａ，３ｂ，３ｃの間のスペースに取り付けられる。図４に示すように、この板バネ６は、上に凸の帯状の形状を有する。そして、板バネ６の両端部８が照明ボックス１４の下方の脚部７に係止される。このようにして、板バネ６の中間部９が曲線部取付け板５を圧接して照明ボックス１４の上部裏面に押し付ける。
【００２３】
板バネ６は、その復元力により曲線部取付け板５を図３のＹ方向に押し上げその落下を防止する。また、照明ボックス１４の下方の両端部８の脚部７を支点として反力をとり、曲線部取付け板５が図３のＸ方向にずれるのを防止する。これにより、本発明に係るエスカレータの照明装置１は、既設の蛍光放電管による照明をＬＥＤユニットによる照明に取り替える際に、例えば穴あけ加工などをすることなく容易に行うことができる。
【００２４】
図４に示すように、板バネ６は、帯状の薄板からなる板バネ６ａでも良く、板バネ６ｂのように両端部８にＴ字状突出部２４を有して脚部７に係止される形状でも良い。この板バネ６ｂの場合には、脚部７において安定した支点をとることができる。
【００２５】
また、図１に示すように、曲線部２１の短尺ＬＥＤユニット３全体の両端には長尺ＬＥＤユニット２が設置される。そこで、曲線部取付け板５の両端は、直線部取付け板４のＴ字状突出部２４を活用して固定しても良い。これにより、曲線部２１の両端の直線部２０を活用して曲線部２１の短尺ＬＥＤユニット３全体を手摺ガイド１２などに固定することができる。
【符号の説明】
【００２６】
１  エスカレータの照明装置、２  長尺ＬＥＤユニット、３ａ，３ｂ，３ｃ  短尺ＬＥＤユニット、４  直線部取付け板、５  曲線部取付け板、６，６ａ，６ｂ  板バネ、７  脚部、８  両端部、９  中間部、１０  エスカレータ、１１  手摺、１２  手摺ガイド、１３  ガラスパネル、１４  照明ボックス、１５  照明カバー、１６ａ，１６ｂ  ＬＥＤケース、１７  コネクタ、１７ａ  プラグ側コネクタ、１７ｂ  ソケット側コネクタ、１８  ＬＥＤ、１９  電線、２０  直線部、２１  曲線部、２２  インナーデッキ部、２３  ランプホルダ固定用締結具、２４  Ｔ字状突出部、２５  接続金物、２６  外れ止め、２７  ランプホルダ、３０  蛍光放電管。
【図１】
2011116498.tif 000003
【図２】
2011116498.tif 000004
【図３】
2011116498.tif 000005
【図４】
2011116498.tif 000006
【図５】
2011116498.tif 000007
【図６】
2011116498.tif 000008